(57)【要約】【課題】コストの削減および画欠けの防止を図る上で有利な液晶表示装置およびテレビジョン装置を提供すること。【解決手段】液晶パネル３２の表示面３２０２が、パネル側開口１５０２の内側に位置するように、筐体１２に液晶モジュール用シャーシ３８が組み付けられている。第１シャーシ側開口４３１０に沿ったシャーシ前面板４３０２の部分４３０２Ａは、パネル側開口１５０２の内縁の全周にわたりパネル側開口１５０２の内側に突出している。そして、パネル側開口１５０２の内側に突出したシャーシ前面板４３０２の部分４３０２Ａで前方を向いた前面に黒色塗装が施されている。【選択図】図４
2008197208.tif 000002
【特許請求の範囲】
【請求項１】
筐体と、前記筐体に収容される液晶モジュールとを備え、
前記筐体は、その内側にパネル側開口が形成された前パネルを有し、
前記液晶モジュールは、液晶パネルと液晶モジュール用シャーシとを含んで構成され、
前記液晶パネルは、表示面を有する前面を有し、
前記液晶モジュール用シャーシは、第１シャーシ側開口が形成されたシャーシ前面板を有し、
前記液晶パネルは、前記表示面が前記第１シャーシ側開口の内側に位置した状態で前記第１シャーシ側開口に沿った前記シャーシ前面板の部分が前記液晶パネルの前面の周囲に押圧されることで前記液晶モジュール用シャーシに保持されており、
前記液晶パネルの表示面が前記パネル側開口の内側に位置するように前記筐体に前記液晶モジュール用シャーシが組み付けられ、
前記第１シャーシ側開口に沿った前記シャーシ前面板の部分は、前記パネル側開口の内縁の全周にわたり前記パネル側開口の内側に突出しており、
前記パネル側開口の内側に突出した前記シャーシ前面板の部分で前方を向いた前面に表面処理が施されている、
ことを特徴とする液晶表示装置。
【請求項２】
前記パネル側開口は矩形を呈し、
前記パネル側開口の内側に突出した前記シャーシ前面板の部分は、前記パネル側開口の内側で矩形枠状に延在している、
ことを特徴とする請求項１記載の液晶表示装置。
【請求項３】
前記パネル側開口は矩形を呈し、
前記パネル側開口の内側に突出した前記シャーシ前面板の部分は、前記パネル側開口の内側で矩形枠状に延在し、
前記パネル側開口を縁取る４つの直線部と、前記第１シャーシ側開口を縁取る４つの直線部とはそれぞれ平行している、
ことを特徴とする請求項１記載の液晶表示装置。
【請求項４】
前記パネル側開口の内側に突出した前記シャーシ前面板の部分は、前記液晶パネルの表示面と平行して延在している、
ことを特徴とする請求項１記載の液晶表示装置。
【請求項５】
前記第１シャーシ側開口に沿った前記シャーシ前面板の部分と前記液晶パネルの前面の周囲との間に弾性材が介在しており、
前記パネル側開口の内側に突出した前記シャーシ前面板の部分は、前記液晶パネルの前面よりも前方に離れた箇所を延在している、
ことを特徴とする請求項１記載の液晶表示装置。
【請求項６】
前記液晶モジュール用シャーシは、トップシャーシとミドルシャーシとを含んで構成され、
前記第１シャーシ側開口及び前記シャーシ前面板は前記トップシャーシに設けられ、
前記ミドルシャーシに、第２シャーシ側開口が形成され前記液晶パネルの背面の周囲に押圧され前記シャーシ前面板と協働して前記液晶パネルを挟持するシャーシ背面板が設けられている、
ことを特徴とする請求項１記載の液晶表示装置。
【請求項７】
前記液晶モジュールは、バックライトユニットを含んで構成され、
前記液晶モジュール用シャーシは、前記バックライトユニットを収容するバックシャーシと、前記バックシャーシの前部に被せられるミドルシャーシと、前記ミドルシャーシの前部に被せられるトップシャーシとを含んで構成され、
前記第１シャーシ側開口及び前記シャーシ前面板は前記トップシャーシに設けられ、
前記ミドルシャーシに、第２シャーシ側開口が形成され前記液晶パネルの背面の周囲に押圧され前記シャーシ前面板と協働して前記液晶パネルを挟持するシャーシ背面板が設けられている、
ことを特徴とする請求項１記載の液晶表示装置。
【請求項８】
筐体と、前記筐体に収容される液晶モジュールとを備え、
前記筐体は、その内側にパネル側開口が形成された前パネルを有し、
前記液晶モジュールは、液晶パネルと液晶モジュール用シャーシとを含んで構成され、
前記液晶パネルは、表示面を有する前面を有し、
前記液晶モジュール用シャーシは、第１シャーシ側開口が形成されたシャーシ前面板を有し、
前記液晶パネルは、前記表示面が前記第１シャーシ側開口の内側に位置した状態で前記第１シャーシ側開口に沿った前記シャーシ前面板の部分が前記液晶パネルの前面の周囲に押圧されることで前記液晶モジュール用シャーシに保持されており、
前記液晶パネルの表示面が前記パネル側開口の内側に位置するように前記筐体に前記液晶モジュール用シャーシが組み付けられ、
前記第１シャーシ側開口に沿った前記シャーシ前面板の部分は、前記パネル側開口の内縁の全周にわたり前記パネル側開口の内側に突出しており、
前記パネル側開口の内側に突出した前記シャーシ前面板の部分で前方を向いた前面に表面処理が施されている、
ことを特徴とするテレビジョン装置。
【発明の詳細な説明】
【技術分野】
【０００１】
本発明は液晶表示装置およびテレビジョン装置に関する。
【背景技術】
【０００２】
液晶表示装置を用いたテレビジョン装置やパーソナルコンピュータのディスプレイ装置などが提供されている。
このような液晶表示装置は、筐体と、この筐体に収容される液晶モジュールなどを備えている。
筐体は、前方に臨みその内側に開口が形成された前パネルを有している。
液晶モジュールは、液晶パネルと液晶モジュール用シャーシとを含んで構成されている。
液晶モジュール用シャーシは、シャーシ側開口が形成されたシャーシ前面板を有している。
液晶パネルはその表示面をシャーシ側開口の内側に位置させた状態で、表示面の周囲の部分がシャーシ側開口の周囲のシャーシ前面板の部分で押圧されることで液晶モジュール用シャーシに保持されている。
そして、液晶パネルの表示面が前パネルの開口の内側に位置するように筐体に液晶モジュール用シャーシが組み付けられている。
このようなことから従来の液晶表示装置では、液晶パネルの表示面の外周で枠状に延在する非表示領域の部分に、液晶パネルを保持するためのシャーシ前面板の部分が位置しており、このシャーシ前面板の部分を隠すように前パネルが配置されている。
そして、従来では、例えば、前パネルの開口の周囲の部分に例えば黒色塗装を施し、その外側のパネル前面部分に例えば銀色塗装を施し、意匠性を高めるようにしている。
【特許文献１】特許第２８８８７８８号
【発明の開示】
【発明が解決しようとする課題】
【０００３】
このように前パネルの前面を黒色塗装と銀色塗装とで塗り分けることからそれらの塗装が当初のデザインに沿って正確に施されるよう、マスキング用の治具が必要となる。そのため、マスキングは手間がかかる作業となっており、コストの削減を図るため何らかの改善が望まれている。
また、液晶パネルの表示面の外周に枠状に延在する非表示領域の限られた部分に前パネルとシャーシ前面板とが重ね合わせて配置されることから、前パネルの開口の内縁と、表示面の外縁との間のスペース、すなわち、画欠けマージンを確保する上で不利があり、組み立てのばらつきに起因する画欠けを防止する上で不利があった。
本発明はこのような事情に鑑みなされたものであり、その目的は、コストの削減および画欠けの防止を図る上で有利な液晶表示装置およびテレビジョン装置を提供することにある。
【課題を解決するための手段】
【０００４】
上述の目的を達成するため、本発明の液晶表示装置は、筐体と、前記筐体に収容される液晶モジュールとを備え、前記筐体は、その内側にパネル側開口が形成された前パネルを有し、前記液晶モジュールは、液晶パネルと液晶モジュール用シャーシとを含んで構成され、前記液晶パネルは、表示面を有する前面を有し、前記液晶モジュール用シャーシは、第１シャーシ側開口が形成されたシャーシ前面板を有し、前記液晶パネルは、前記表示面が前記第１シャーシ側開口の内側に位置した状態で前記第１シャーシ側開口に沿った前記シャーシ前面板の部分が前記液晶パネルの前面の周囲に押圧されることで前記液晶モジュール用シャーシに保持されており、前記液晶パネルの表示面が前記パネル側開口の内側に位置するように前記筐体に前記液晶モジュール用シャーシが組み付けられ、前記第１シャーシ側開口に沿った前記シャーシ前面板の部分は、前記パネル側開口の内縁の全周にわたり前記パネル側開口の内側に突出しており、前記パネル側開口の内側に突出した前記シャーシ前面板の部分で前方を向いた前面に表面処理が施されていることを特徴とする。
また、本発明のテレビジョン装置は、筐体と、前記筐体に収容される液晶モジュールとを備え、前記筐体は、その内側にパネル側開口が形成された前パネルを有し、前記液晶モジュールは、液晶パネルと液晶モジュール用シャーシとを含んで構成され、前記液晶パネルは、表示面を有する前面を有し、前記液晶モジュール用シャーシは、第１シャーシ側開口が形成されたシャーシ前面板を有し、前記液晶パネルは、前記表示面が前記第１シャーシ側開口の内側に位置した状態で前記第１シャーシ側開口に沿った前記シャーシ前面板の部分が前記液晶パネルの前面の周囲に押圧されることで前記液晶モジュール用シャーシに保持されており、前記液晶パネルの表示面が前記パネル側開口の内側に位置するように前記筐体に前記液晶モジュール用シャーシが組み付けられ、前記第１シャーシ側開口に沿った前記シャーシ前面板の部分は、前記パネル側開口の内縁の全周にわたり前記パネル側開口の内側に突出しており、前記パネル側開口の内側に突出した前記シャーシ前面板の部分で前方を向いた前面に表面処理が施されていることを特徴とする。
【発明の効果】
【０００５】
本発明によれば、パネル側開口の内側に突出したシャーシ前面板の部分を体裁面として使用することで意匠性を確保できる。
そして、シャーシ前面板の部分で前方を向いた前面への表面処理は、例えば、表面処理が黒色塗装である場合には、大まかな範囲に施せばよいので、マスキング用の治具を用いることなく簡単になされる。
また、前パネルへの表面処理も、例えば、表面処理が銀色塗装である場合には、前パネルの全域に施せばよいので、マスキング用の治具を用いることなく簡単になされる。
したがって、従来の前パネルの塗装作業が簡素化されコストの削減を図る上で有利となる。
また、パネル側開口の内側に突出したシャーシ前面板の部分を体裁面として使用できるため、非表示領域の限られた狭いスペースにはシャーシ前面板の部分のみを配置すればよいので、第１シャーシ側開口の内縁と、表示面の外縁との間の画欠けマージンを大きく確保する上で有利となり画欠けを防止する上で有利となる。
【発明を実施するための最良の形態】
【０００６】
次に、本発明の実施の形態について図面を参照して説明する。
まず、本実施の形態の液晶表示装置３０を用いたテレビジョン装置１０について説明する。
図１はテレビジョン装置１０の斜視図、図２は同分解斜視図である。
図１、図２に示すように、テレビジョン装置１０は、外装を構成する筐体１２と、筐体１２の下部に設けられ載置面に載置されるスタンド１２Ａとを備え、筐体１２内部に本発明に係る液晶表示装置３０が組み込まれ、また、筐体１２に電装部２０（図３参照）が設けられている。
【０００７】
筐体１２は前カバー１４と後カバー１６とを備えて矩形板状を呈し、図中符号１８は左右のスピーカーを示し、筐体１２はテレビジョン装置１０の筐体であり、液晶表示装置３０の筐体でもある。
【０００８】
図３はテレビジョン装置１０の電装部２０の構成を示すブロック図である。
図３に示すように、電装部２０は、受信部２０Ａ、映像信号処理部２０Ｂ、音声信号処理部２０Ｃ、制御部２０Ｄ、操作部２０Ｅなどを含んで構成されている。
受信部２０Ａは、制御部２０Ｄからの指令に基づいて選局を行い、アンテナから受信したテレビジョン信号を復調して映像信号と音声信号に分離して出力する。
映像信号処理部２０Ｂは、前記映像信号に対して必要な信号処理を行い、液晶表示装置３０（図１参照）の液晶パネル３２に供給する。これにより、液晶パネル３２で画像が表示される。
音声信号処理部２０Ｃは、前記音声信号に対して必要な信号処理および増幅処理を行なってオーディオ信号を生成しスピーカー１８に供給する。これによりスピーカー１８から音声が発生される。
操作部２０Ｅは、テレビジョン装置１０による放送の視聴にまつわる種々の操作や設定を行うためのものであり、例えば、選局スイッチ、音量調整スイッチ、入力切り換えスイッチなどを含んでいる。
【０００９】
制御部２０Ｄは、操作部２０Ｅの操作に基づいて、受信部２０Ａ、映像信号処理部２０Ｂ、音声信号処理部２０Ｃの制御を行う。
また、図示しないが、ＤＶＤプレーヤーやビデオデッキなどの外部装置から供給される映像信号および音声信号を入力するための外部入力端子と、これら外部入力端子に供給された映像信号および音声信号を映像信号処理部２０Ｂおよび音声信号処理部２０Ｃに切り換えて入力する入力切り換え回路が設けられている。
操作部２０Ｅの操作により前記外部入力端子に供給される映像信号および音声信号が前記入力切り換え回路を介して映像信号処理部２０Ｂおよび音声信号処理部２０Ｃに供給されるようになっている。
【００１０】
次に、液晶表示装置３０について説明する。
図４は図１のＡＡ線断面図、図５（Ａ）は液晶表示装置３０の正面図、（Ｂ）は（Ａ）の一部を拡大した図である。
【００１１】
図２に示すように、液晶表示装置３０は、上述した筐体１２と、液晶モジュール６０を含んで構成されている。
筐体１２は上述のように前カバー１４と後カバー１６を備え、前カバー１４は、その内側にパネル側開口１５０２が形成された前パネル１５を有している。
本実施の形態では、前パネル１５を含む前カバー１４は合成樹脂製であり、前パネル１５が前方に臨む面、すなわち、体裁面には意匠性を高めるための表面処理として、例えば、銀色塗装が施されている。
【００１２】
液晶モジュール６０は、液晶パネル３２と、バックライトユニット３４と、それらを保持する液晶モジュール用シャーシ３８とを含んで構成されている。
図２に示すように、液晶パネル３２は矩形板状を呈している。
液晶パネル３２は、２枚の透明なガラス基材と、それらガラス基材の間に挟まれた液晶層と、それらガラス基材の内面に設けられた透明電極と、カラーフィルターと、偏光板などを含んで構成され、厚さ方向の一方の面である前面に表示面３２０２が形成され、他方の面が背面３２０４となっている。
より詳細には、液晶パネル３２は、ガラスなどで構成された２枚の透明な基板を互いに対向配置させ、その間隙に、液晶を封入した液晶層を設けて構成されている。
一方の基板には、マトリクス状に配置された信号線、走査線、信号線と走査線の交点に配置されたスイッチング素子（薄膜トランジスタ）、画素電極などが形成されている。スイッチング素子は走査線により順次選択されると共に、信号線から供給される映像信号を、対応する画素電極に書き込む。
他方の基板には、対向電極、カラーフィルターが形成されている。
カラーフィルターは各画素に対応した複数のセグメントに分割されており、例えば、３原色である、赤色フィルタ、緑色フィルタ、青色フィルタの３つのセグメントに分割されている。
さらに、これら２枚の基板は２枚の偏光板で挟まれている。
なお、このような液晶パネル３２自体の構造には従来公知のさまざまな構成が採用可能である。
【００１３】
図４に示すように、バックライトユニット３４は、液晶パネル３２の背面３２０４に照明光を照射するもので、このように照明光を照射した状態で、画像表示用の駆動信号が液晶パネル３２の走査線、信号線、対向電極に供給され液晶層の液晶が駆動されることで液晶パネル３２の表示面３２０２に画像が表示される。
バックライトユニット３４は、液晶パネル３２の後方に位置する部分に形成され前方に開放状の照明用空間３４Ａと、照明用空間３４Ａに配設される光源３４Ｂと、照明用空間３４Ａで光源３４Ｂの後方に配置された反射シート３４Ｃと、照明用空間３４Ａの前部を閉塞する拡散板３４Ｄおよび光学シート３４Ｅなどを含んで構成されている。
光源３４Ｂは、電流が供給されることにより白色光を発光する例えば冷陰極管で構成されている。
より詳細には、蛍光管は、両側に電極が形成され、内壁に所定の蛍光材料が塗布され、管内にＨｇ（水銀）、Ｘｅ（キセノン）などの希ガスが封入されている。蛍光管はそれら電極に電流が流されると、フィラメントから熱電子が管内に放出され、放電が始まり、熱電子が管内のＨｇ原子と衝突して励起され、紫外線を放射する。Ｈｇ原子は、紫外線を放射することにより基底状態となる。そして、この紫外線が管壁に塗布されている蛍光材料により吸収されて白色光を外部に出射する。
【００１４】
反射シート３４Ｃは高い反射率を有する材料で形成され、光源３４Ｂから照射された光を拡散板３４Ｄに反射して導くものであり、このような反射シート３４Ｃとして、従来公知のさまざまな市販品や材料が採用可能である。
拡散板３４Ｄは、光源３４Ｂから照射された光、および、反射シート３４Ｃで拡散板３４Ｄに反射された光の双方を拡散させて液晶パネル３２を後方から照射させるものであり、拡散板３４Ｄは半透明な材料で形成されている。
このような拡散板３４Ｄを構成する半透明な材料として、例えば、ポリスチレン樹脂あるいはＭＳ樹脂（スチレン−メチルメタクリレート樹脂）などの従来公知のさまざまな材料が採用可能である。
光学シート３４Ｅは、拡散板３４Ｄからの光を液晶パネル３２に導くものであり、光学シート３４Ｅは、拡散板３４Ｄが液晶パネル３２に臨む面に設けられている。光学シート３４Ｅは、従来公知のさまざまな市販品や材料が採用可能である。
なお、バックライトユニット３４は従来公知のさまざまな構成が採用可能である。
【００１５】
液晶モジュール用シャーシ３８は、液晶パネル３２を保持すると共に、照明光が液晶パネル３２に向けられるようにバックライトユニット３４を構成する複数の光学要素（上述した光源３４Ｂ、反射シート３４Ｃ、拡散板３４Ｄ、光学シート３４Ｅなど）を収容し保持しており、筐体１２の内部でそれら光学要素を液晶パネル３２と共に支持している。
液晶モジュール用シャーシ３８は、バックライトユニット３４の後部が収容されるバックシャーシ４０と、バックシャーシ４０の前部に被せられバックライトユニット３４の前部が収容されるミドルシャーシ４２と、ミドルシャーシ４２の前部に被せられるトップシャーシ４３とを含んで構成されている。
【００１６】
トップシャーシ４３は、第１シャーシ側開口４３１０が形成されたシャーシ前面板４３０２を有している。
ミドルシャーシ４２は、第２シャーシ側開口４２０２が形成されたシャーシ背面板４４を有している。
第１シャーシ側開口４３１０は、表示面３２０２を前方に臨ませ視認できるようにするためのものである。
第２シャーシ側開口４２０２は、照明光を液晶パネル３２の背面３２０４に照射させるためのものである。
液晶パネル３２は、表示面３２０２が第１シャーシ側開口４３１０の内側に位置した状態で第１シャーシ側開口４３１０に沿ったシャーシ前面板４３０２の部分４３０２Ａが液晶パネル３２の前面の周囲に押圧されることで液晶モジュール用シャーシ３８に保持されている。
より詳細には、液晶パネル３２は、表示面３２０２が第１シャーシ側開口４３１０の内側に位置した状態で、第１シャーシ側開口４３１０に沿ったシャーシ前面板４３０２の部分４３０２Ａが第１弾性材５０を介在させた状態で液晶パネル３２の前面の周囲に押圧され、第２シャーシ側開口４２０２に沿ったシャーシ背面板４４の部分が第２弾性材５２を介在させた状態で液晶パネル３２の背面３２０４の周囲に押圧されることで、すなわち、シャーシ前面板４３０２とシャーシ背面板４４が協働することで液晶パネル３２が挟持され保持されている。
そして、液晶パネル３２の表示面３２０２が、パネル側開口１５０２の内側に位置するように、筐体１２に液晶モジュール用シャーシ３８が組み付けられている。
【００１７】
第１シャーシ側開口４３１０に沿ったシャーシ前面板４３０２の部分４３０２Ａは、パネル側開口１５０２の内縁の全周にわたりパネル側開口１５０２の内側に突出している。
そして、パネル側開口１５０２の内側に突出したシャーシ前面板４３０２の部分４３０２Ａで前方を向いた前面および第１シャーシ側開口４３１０を縁取る端面の部分に表面処理が施されている。
本実施の形態では、パネル側開口１５０２は矩形を呈し、パネル側開口１５０２の内側に突出したシャーシ前面板４３０２の部分４３０２Ａは、意匠性を高めるため、パネル側開口１５０２の内側で矩形枠状に延在し、パネル側開口１５０２を縁取る４つの直線部と、第１シャーシ側開口４３１０を縁取る４つの直線部とは、図５（Ａ）に示すように、それぞれ平行している。
また、本実施の形態では、パネル側開口１５０２の内側に突出したシャーシ前面板４３０２の部分４３０２Ａは、意匠性を高めるため、図４に示すように、液晶パネル３２の表示面３２０２と平行して延在している。
また、本実施の形態では、パネル側開口１５０２の内側に突出したシャーシ前面板４３０２の部分４３０２Ａを体裁面として使用できるため、前カバー１５のパネル側開口１５０２を形成する端面１５０２Ａは、シャーシ前面板４３０２の部分４３０２Ａの前部に近接する位置まで延在するに留まる。
したがって、端面１５０２Ａが液晶パネル３２の前面に近接する位置まで延在する場合に比較して端面１５０２Ａの前後方向の寸法を短縮でき、したがって、前パネル１５のパネル側開口１５０２を縁取る端面部分のフラット感が確保され、意匠性が高められている。
また、本実施の形態では、第１シャーシ側開口４３１０に沿ったシャーシ前面板４３０２の部分４３０２Ａと液晶パネル３２の前面の周囲との間に弾性材が介在しているので、パネル側開口１５０２の内側に突出したシャーシ前面板４３０２の部分４３０２Ａは、液晶パネル３２の前面よりも前方に離れた箇所を延在しており、意匠性が高められている。
表面処理は、意匠性を高めるために施されるものであり、塗装やメッキなど従来公知のさまざまな表面処理が採用可能であり、本実施の形態では、表面処理として黒色塗装が施されている。
なお、本実施の形態では、バックシャーシ４０およびトップシャーシ４３は金属製で、ミドルシャーシ４２は合成樹脂製である。
【００１８】
液晶モジュール用シャーシ３８の組み付けは次のようになされる。
ミドルシャーシ４２には、シャーシ背面板４４から後方に延在しバックシャーシ４０の上下左右の側面４００２にそれぞれ当接可能で係止孔４２２０が形成された当接片４２２２が複数突設されている。
バックシャーシ４０の上下左右の側面４００２に係止孔４２２０に係止可能な係止突起４０１０が形成されている。
ミドルシャーシ４２は、当接片４２２２がバックシャーシ４０の上下左右の側面４００２に当接され、係止孔４２２０に係止突起４０１０が係止することでバックシャーシ４０に仮止めされる。
また、ねじ２Ｃによりトップシャーシ４３のシャーシ前面板４３０２と、ミドルシャーシ４２の前部と、バックシャーシ４０の前部とが共締めされることで、トップシャーシ４３とミドルシャーシ４２とバックシャーシ４０とが組みつけられている。
なお、図４において符号４８はサイドモールドを示している。また、図２において、符号４３は前述した電装部２０を構成する基板部４３を示し、基板部４３はバックシャーシ４０の箇所にねじを介して取着されている。
【００１９】
液晶モジュール６０の筐体１２への組み付けは次のようになされる。
図４に示すように、バックシャーシ４０にブラケット４６をねじ２Ａで取着する。
図２、図４に示すように、液晶モジュール用シャーシ３８は、本実施の形態では、前カバー１４と後カバー１６との結合箇所において、ブラケット４６を介してそれら前カバー１４と後カバー１６とにねじ２Ｂで共締めされることで筐体１２に支持される。
なお、第１シャーシ側開口４３１０の周囲のシャーシ前面板４３０２と前パネル１５の背面との間に弾性材５６を介在させ、これにより液晶表示装置３０、すなわち、テレビジョン装置１０の組み立てが完了する。
【００２０】
本実施の形態によれば、第１シャーシ側開口４３１０に沿ったトップシャーシ４３は、パネル側開口１５０２の内縁の全周にわたりパネル側開口１５０２の内側に突出しており、このパネル側開口１５０２の内側に突出したシャーシ前面板４３０２の部分４３０２Ａで前方を向いた前面に黒色塗装が施されている。
これにより、パネル側開口１５０２の内側に突出したシャーシ前面板４３０２の部分４３０２Ａを体裁面として使用することで意匠性を確保できる。
そして、シャーシ前面板４３０２の部分４３０２Ａで前方を向いた前面への黒色塗装は、第１シャーシ側開口４３１０に沿った大まかな範囲に施せばよいので、マスキング用の治具を用いることなく簡単になされる。
また、前パネル１５への例えば銀色塗装も、前パネル１５の全域に施せばよいので、マスキング用の治具を用いることなく簡単になされる。
したがって、前パネル１５の塗装作業が簡素化されコストの削減を図る上で有利となる。
【００２１】
また、従来は、図４に破線Ｘで示すように、前パネル１５によって体裁面を構成するため、トップシャーシ４３を前パネル１５で覆う構造となっている。
したがって、液晶パネル３２の前面のうち液晶パネル３２の表示面（表示領域）３２０２の外周に枠状に延在する非表示領域の限られた部分に前パネル１５とトップシャーシ４３とを重ね合わせて配置せざるを得ない。
したがって、パネル側開口１５０２の内縁と、表示面３２０２の外縁との間のスペース、すなわち、画欠けマージンを確保する上で不利があり画欠けを防止する上で不利があった。
これに対して本実施の形態では、パネル側開口１５０２の内側に突出したトップシャーシ４３のシャーシ前面板４３０２の部分４３０２Ａを体裁面として使用できるため、非表示領域の限られた狭いスペースにはシャーシ前面板４３０２の部分４３０２Ａのみを配置すればよいので、第１シャーシ側開口４３１０の内縁と、表示面３２０２の外縁との間の画欠けマージンを大きく確保する上で有利となり画欠けを防止する上で有利となる。
また、従来構造のように前パネル１５によってトップシャーシ４３のシャーシ前面板４３０２を覆う場合には、前カバー１５のパネル側開口１５０２を形成する端面１５０２Ａは端面１５０２Ａが液晶パネル３２の前面に近接する位置まで延在している。
これに対して本実施の形態では、パネル側開口１５０２の内側に突出したシャーシ前面板４３０２の部分４３０２Ａを体裁面として使用できるため、前カバー１５のパネル側開口１５０２を形成する端面１５０２Ａは、シャーシ前面板４３０２の部分４３０２Ａの前部に近接する位置まで延在するに留まる。
したがって、従来構造に比較して端面１５０２Ａの前後方向の寸法を短縮でき、したがって、前パネル１５のパネル側開口１５０２を縁取る端面部分のフラット感が確保され、意匠性が高められている。
言い換えると、パネル側開口１５０２の内側に突出したシャーシ前面板４３０２の部分４３０２Ａを体裁面として使用できるため、表示面３２０２と前パネル１５との間の段差が従来構造に比較して目立たなくなり、外観上、液晶表示装置３０の前面部分のフラット感を確保でき、意匠性を向上させる上で有利となる。
【００２２】
なお、本実施の形態では、トップシャーシ４３のシャーシ前面板４３０２の部分４３０２Ａで前方を向いた前面に黒色塗装を施した場合について説明したが、塗装色は任意であり、また、表面処理は塗装に限定されない。
また、本実施の形態では、前パネル１５に銀色塗装を施した場合について説明したが、塗装の有無や塗装色は任意であり、また、表面処理は塗装に限定されない。
【００２３】
また、本実施の形態では、液晶表示装置３０がテレビジョン装置１０に適用された場合について説明したが、本発明は、デスクトップ型のパーソナルコンピュータのモニタ装置、ノート型パーソナルコンピュータ、液晶表示装置３０を有するビデオカメラやデジタルスチルカメラなどの撮像装置、ＰＤＡ、携帯電話機に用いることができることは無論のこと、液晶表示装置３０を有する種々の電子機器に広く用いることができる。
【図面の簡単な説明】
【００２４】
【図１】テレビジョン装置１０の斜視図である。
【図２】テレビジョン装置１０の分解斜視図である。
【図３】テレビジョン装置１０の電装部２０の構成を示すブロック図である。
【図４】図１のＡＡ線断面図である。
【図５】（Ａ）は液晶表示装置３０の正面図、（Ｂ）は（Ａ）の一部を拡大した図である。
【符号の説明】
【００２５】
１０……テレビジョン装置、１２……筐体、１５……前パネル、１５０２……パネル側開口、３０……液晶表示装置、３２……液晶パネル、３２０２……表示面、４２……ミドルシャーシ、４２０２……第２シャーシ側開口、４３……トップシャーシ、４３０２……シャーシ前面板、４３１０……第１シャーシ側開口。
【図１】
2008197208.tif 000003
【図２】
2008197208.tif 000004
【図３】
2008197208.tif 000005
【図４】
2008197208.tif 000006
【図５】
2008197208.tif 000007